(57)【要約】【課題】  ヒンジ機構の構造を簡素化することができるとともに、くさび部材のくさび作用を利用するロック機構部の製作精度を高めることができ、くさび部材のスライド動作を円滑に行なうことができるタッチパネルのロック構造を提供することが課題である。【解決手段】  実施形態のタッチパネルのロック構造２１は、タッチパネルユニット３が固定台４に対して回動軸２４を中心に回動し、引き起こし角度が０°の基準位置から任意の引き起こし角度まで引き起こした回動位置でロック状態に固定して使用する電子機器に使用される。ほぼＬ字状の支持部材２２と、ほぼＬ字状のヒンジ部材２３と、連結部２５と、ロック機構部２６とを具備する。ロック機構部２６は、くさび受部２７と、くさびガイド部２８と、くさび部材２９と、ブロック部材３０とを具備する。そして、くさびガイド部２８とブロック部材３０とを一体化したものである。【選択図】図３
2017115913.tif 000002
【特許請求の範囲】
【請求項１】
一面側にタッチパネルが配置されたタッチパネルユニットの一端部が固定台に対して回動軸を中心に回動可能に支持され、前記タッチパネルユニットが前記固定台に対して前記回動軸を中心に回動し、引き起こし角度が０°の基準位置から任意の引き起こし角度まで引き起こした回動位置でロック状態に固定して使用する電子機器に使用されるタッチパネルのロック装置であって、
前記固定台に固定された平板状の第１の固定部と、前記第１の固定部からほぼ直交する方向に屈曲された第１の立設部とを有するほぼＬ字状の支持部材と、
前記タッチパネルユニット側の支持台に固定された平板状の第２の固定部と、前記第２の固定部からほぼ直交する方向に屈曲された第２の立設部とを有するほぼＬ字状のヒンジ部材と、
前記第１の立設部と前記第２の立設部との間に前記回動軸が挿通され、前記回動軸によって前記第１の立設部と前記第２の立設部との間を回動可能に連結する連結部と、
前記支持部材と前記ヒンジ部材との間に装着され、前記固定台に対して前記タッチパネルユニットを前記任意の引き起こし角度に引き起こした引き起こし位置でロック状態に固定するロック機構部とを具備し、
前記ロック機構部は、前記第２の立設部における前記連結部の近傍位置に設けられたくさび受部と、
前記支持部材側の前記くさび受部と対向する位置に設けられ、前記くさび受部との間にくさび挿入用の隙間を形成するくさびガイド部と、
前記くさび受部と前記くさびガイド部との間に配置され、前記タッチパネルユニットを任意の引き起こし位置でくさび作用によりロック状態に固定するくさび部材と、
前記固定台側に設けられ、前記くさび部材を前記回動軸の中心軸と同方向にスライド可能に支持するブロック部材とを具備し、
前記くさびガイド部と前記ブロック部材とを一体化したことを特徴とするタッチパネルのロック構造。
【請求項２】
前記ブロック部材は、前記くさび部材の下面と摺接する下面ガイドと、前記くさび部材の上面と摺接する上面ガイドとを有し、
前記上面ガイドは、前記くさびガイド部によって形成されていることを特徴とする請求項１に記載のタッチパネルのロック構造。
【請求項３】
前記くさび部材は、上面側に前記くさびガイド部と摺接する直線状の接触部が形成され、先端側に向かうにしたがって先細になるテーパー面が下面側に形成されていることを特徴とする請求項２に記載のタッチパネルのロック構造。
【請求項４】
前記くさび部材は、前記接触部の基端部側に操作用の凸部が形成されていることを特徴とする請求項３に記載のタッチパネルのロック構造。
【発明の詳細な説明】
【技術分野】
【０００１】
本発明の実施形態は、タッチパネルのロック構造に関する。
【背景技術】
【０００２】
従来の電子機器の一例として、例えば、タッチパネルを備えたディスプレイ部を本体部にヒンジ機構によって回転自在に結合して、ディスプレイ部を本体部に対して開閉させて使用するものがある。上記従来構成の装置のヒンジ機構の一例として、ディスプレイ部に設けられたヒンジ回転軸が本体部側の接続部に突設されたブラケットに回転自在に保持され、ヒンジ回転軸とブラケットの保持孔との間にヒンジトルク発生部が形成される構成のものがある。ヒンジトルク発生部は、ヒンジ回転軸とブラケットの保持孔との間に、リング状の摩擦板と、複数の皿バネとが挿通され、皿バネが圧縮された状態でヒンジ回転軸の自由端部に加圧板が取り付けられて形成されている。これにより、ディスプレイ接続部に設けられたヒンジ回転軸が本体部側のブラケットに回転自在に保持されている。
【０００３】
上記ヒンジトルク発生部は、加圧板で複数枚の皿バネを圧縮して発生させるバネ力により、皿バネに隣接する摩擦板の側面を本体部側のブラケットの一方の側面に圧接し、本体部側の接続部に隣接する摩擦板の側面をブラケットの他方の側面に圧接する。２枚の摩擦板と本体部側のブラケットとが圧接されることによって、本体部側とディスプレイ接続部との間に摩擦力が生じてヒンジトルクが発生する。このヒンジトルクによって、ディスプレイ部を本体部に対して開いた時に、ディスプレイ部を任意の開き角度に保持する構成になっている。
【先行技術文献】
【特許文献】
【０００４】
【特許文献１】特開２０１５−９８９３７号公報
【発明の概要】
【発明が解決しようとする課題】
【０００５】
上記従来構成の装置では、ヒンジ機構の構造が複雑になり、部品点数も増えるので、コスト高になる課題がある。
【０００６】
また、ヒンジ機構の他の一例として、くさび部材のくさび作用を利用してタッチパネルユニットを任意の引き起こし位置でロック状態に固定するロック機構部が考えられている。図１２は、このくさび部材のくさび作用を利用するロック装置１の一例を示す。さらに、図１および図２は、このロック装置１を使用した電子機器の一例を示す。この電子機器は、一面側にタッチパネル２が配置されたタッチパネルユニット３と、このタッチパネルユニット３を支持する固定台４とを備えている。タッチパネルユニット３の一端部は、固定台４に対してヒンジ機構５を介して回動軸６を中心に回動可能に支持されている。
【０００７】
そして、タッチパネルユニット３が固定台４に対して回動軸６を中心に回動し、引き起こし角度が０°の基準位置から任意の引き起こし角度まで引き起こした回動位置でロック状態に固定して使用する。ロック装置１は、例えば、図１２に示すように固定台４に固定されたほぼＬ字状の支持部材７と、タッチパネルユニット３側の支持台８（図１および図１４参照）に固定されたほぼＬ字状のヒンジ部材９と、回動軸６を有する連結部１０と、ロック機構部１１とを具備する。支持部材７は、固定台４に固定された平板状の第１の固定部７ａと、第１の固定部７ａからほぼ直交する方向に屈曲された第１の立設部７ｂとを有する。ヒンジ部材９は、タッチパネルユニット３側の支持台８に固定された平板状の第２の固定部９ａと、第２の固定部９ａからほぼ直交する方向に屈曲された第２の立設部９ｂとを有する。連結部１０は、回動軸６によって第１の立設部７ｂと第２の立設部９ｂとの間を回動可能に連結する。
【０００８】
ロック機構部１１は、支持部材７とヒンジ部材９との間に装着され、固定台４に対してタッチパネルユニット３を任意の引き起こし角度に引き起こした引き起こし位置でロック状態に固定する。このロック機構部１１は、くさび受部１２と、くさびガイド部１３と、くさび部材１４と、ブロック部材１５とを具備する。
【０００９】
ヒンジ部材９の第２の立設部９ｂの図１３中で上端部には、回動軸６の連結部の近傍位置に第２の固定部９ａと平行な直線状の端縁部９ｂ１が形成されている。この端縁部９ｂ１によってくさび受部１２が形成されている。
【００１０】
支持部材７側の第１の立設部７ｂの図１３中で上端部には、ヒンジ部材９側のくさび受部１２と対向する位置にくさびガイド部１３が設けられている。このくさびガイド部１３は、図１３に示すように平板状のガイド板１３ａと、このガイド板１３ａの図１３中で下面側に突設された係合凸部１３ｂとを有する。この係合凸部１３ｂは、支持部材７側の第１の立設部７ｂの図１３中で上端部に形成された係合溝７ｂ１に係合可能になっている。そして、図１２に示すようにくさびガイド部１３は、係合凸部１３ｂが係合溝７ｂ１に係合された状態で立設部７ｂに溶接によって固定されている。このようにくさびガイド部１３が支持部材７側に固定された状態で、くさびガイド部１３のガイド板１３ａの下面と、くさび受部１２との間にくさび挿入用の隙間Ｓ１（図１４参照）を形成する。
【００１１】
くさび部材１４は、図１２、図１４に示すように上面側にくさびガイド部１３と摺接する直線状の接触部１４ａが形成されている。くさび部材１４の下面側には、先端側に向かうにしたがって先細になるテーパー面１４ｂが形成されている。さらに、くさび部材１４の基端部には、操作用の凸部１４ｃが上向きに突設されている。
【００１２】
ブロック部材１５は、図１２、図１４に示すように上面側にくさび部材１４の下面と摺接するガイド溝１５ａが形成されている。くさび部材１４は、このブロック部材１５のガイド溝１５ａの上に配置されている。これにより、ブロック部材１５は、くさび部材１４を回動軸６の中心軸と同方向にスライド可能に支持する。そして、図１４に示すようにくさび部材１４の先端部は、くさび受部１２とくさびガイド部１３との間に挿入される状態で配置される。
【００１３】
図１および図２の電子機器は、タッチパネルユニット３が固定台４に対して回動軸６を中心に回動し、引き起こし角度が０°の基準位置から任意の引き起こし角度まで引き起こした任意の回動位置まで回動可能に支持されている。このタッチパネルユニット３の回動動作時には、タッチパネルユニット３側の支持台８に固定されているヒンジ部材９がタッチパネルユニット３と一体的に移動する。そのため、このヒンジ部材９の移動にともないくさびガイド部１３のガイド板１３ａの下面と、くさび受部１２との間の隙間Ｓ１の大きさが拡大する方向に変化する。
【００１４】
そして、タッチパネルユニット３を固定台４に対して任意の引き起こし角度まで引き起こした任意の回動位置で、くさび部材１４を図１４中で左方向にスライド操作して、隙間Ｓ１の中に圧入する。これにより、くさび部材１４のテーパー面１４ｂとヒンジ部材９のくさび受部１２との間で、くさび作用が働き、タッチパネルユニット３が任意の引き起こし位置でロック状態に固定される。
【００１５】
しかしながら、上記構成のロック装置１では、支持部材７側の第１の立設部７ｂの図１３中で上端部に形成された係合溝７ｂ１にくさびガイド部１３の係合凸部１３ｂが係合された状態で立設部７ｂに溶接によって固定されている。この場合、支持部材７側の第１の立設部７ｂとくさびガイド部１３との組み付け位置を高精度に保持することが難しい。そのため、例えばくさびガイド部１３の溶接時の歪みや、組み付け誤差などにより、くさび部材１４のスライド動作が円滑に行えなくなる可能性がある。この場合は、例えば、ブロック部材１５のガイド溝１５ａにおけるくさび部材１４との摺接面に潤滑用のテープなどを貼り付け、くさび部材１４の上下方向、左右方向のクリアランス調整を行う。具体的には、テープの貼り付け枚数や、テープの貼り付け場所を微調整するなど、煩雑な調整作業が必要になる可能性がある。また、くさび部材１４側におけるガイド溝１５ａとの接触面側を研磨する場合もあり、クリアランス調整が一層、煩雑になるなどの課題がある。
【００１６】
実施形態は、上記事情を考慮してなされたもので、ヒンジ機構の構造を簡素化することができるとともに、くさび部材のくさび作用を利用するロック機構部の製作精度を高めることができ、くさび部材のスライド動作を円滑に行なうことができるタッチパネルのロック構造を提供することが課題である。
【課題を解決するための手段】
【００１７】
実施形態のタッチパネルのロック構造は、タッチパネルユニットが固定台に対して回動軸を中心に回動し、引き起こし角度が０°の基準位置から任意の引き起こし角度まで引き起こした回動位置でロック状態に固定して使用する電子機器に使用される。ほぼＬ字状の支持部材と、ほぼＬ字状のヒンジ部材と、連結部と、ロック機構部とを具備する。ロック機構部は、くさび受部と、くさびガイド部と、くさび部材と、ブロック部材とを具備する。そして、くさびガイド部とブロック部材とを一体化したものである。
【図面の簡単な説明】
【００１８】
【図１】図１は、タッチパネルのロック構造を使用した電子機器の一例を示す全体の斜視図である。
【図２】図２は、図１の電子機器の平面図である。
【図３】図３は、第１の実施の形態のタッチパネルのロック構造を示す要部の斜視図である。
【図４】図４は、第１の実施の形態のタッチパネルのロック構造の要部構成を示す縦断面図である。
【図５】図５は、第１の実施の形態のタッチパネルのロック構造のヒンジ部分を示す要部の斜視図である。
【図６】図６は、図５のヒンジ部分を示すもので、（Ａ）はヒンジ部分の平面図、（Ｂ）はヒンジ部分の左側の正面図、（Ｃ）はヒンジ部分の側面図、（Ｄ）はヒンジ部分の右側の正面図である。
【図７】図７は、第１の実施の形態のタッチパネルのロック構造のくさび部材を示すもので、（Ａ）はくさび部材の斜視図、（Ｂ）はくさび部材の側面図である。
【図８】図８の（Ａ）は、第１の実施の形態のタッチパネルのロック構造のブロック部材を示す斜視図、（Ｂ）はくさびガイド部の斜視図である。
【図９】図９は、第１の実施の形態のタッチパネルのロック構造のブロック部材を示すもので、（Ａ）はブロック部材の平面図、（Ｂ）はブロック部材の側面図、（Ｃ）はブロック部材の左側の正面図である。
【図１０】図１０は、第１の実施の形態のタッチパネルのロック構造のくさびガイド部を示すもので、（Ａ）はくさびガイド部の平面図、（Ｂ）はくさびガイド部の側面図、（Ｃ）はくさびガイド部の左側の正面図である。
【図１１】図１１は、第１の実施の形態のタッチパネルのロック構造の分解斜視図である。
【図１２】図１２は、タッチパネルのロック装置の一例を示す要部の分解斜視図である。
【図１３】図１３は、図１２のタッチパネルのロック装置の支持部材とくさびガイド部との取り外し状態を示す斜視図である。
【図１４】図１４は、図１２のタッチパネルのロック装置のくさび部材の動作状態を示す縦断面図である。
【発明を実施するための形態】
【００１９】
図３乃至図１１は、第１の実施の形態を示す。なお、図３乃至図１１中で、図１２乃至図１４と同一部分には同一の符号を付してその説明を省略する。  
本実施形態のタッチパネルのロック構造２１は、図１および図２に示すように一面側にタッチパネル２が配置されたタッチパネルユニット３を備えた電子機器に使用される。
【００２０】
このタッチパネルのロック構造２１は、例えば、図４に示すように固定台４に固定されたほぼＬ字状の支持部材２２と、タッチパネルユニット３側の支持台８（図１および図４参照）に固定されたほぼＬ字状のヒンジ部材２３と、回動軸２４（図３参照）を有する連結部２５と、ロック機構部２６とを具備する。
【００２１】
支持部材２２は、固定台４に固定された平板状の第１の固定部２２ａと、第１の固定部２２ａからほぼ直交する方向に屈曲された第１の立設部２２ｂとを有する。ヒンジ部材２３は、タッチパネルユニット３側の支持台８に固定された平板状の第２の固定部２３ａと、第２の固定部２３ａからほぼ直交する方向に屈曲された第２の立設部２３ｂとを有する。連結部２５は、回動軸２４によって第１の立設部２２ｂと第２の立設部２３ｂとの間を回動可能に連結する。
【００２２】
ロック機構部２６は、支持部材２２とヒンジ部材２３との間に装着され、固定台４に対してタッチパネルユニット３を任意の引き起こし角度に引き起こした引き起こし位置でロック状態に固定する。このロック機構部２６は、くさび受部２７（図６参照）と、くさびガイド部２８と、くさび部材２９（図７参照）と、ブロック部材３０（図８参照）とを具備する。
【００２３】
ヒンジ部材２３の第２の立設部２３ｂの図４、図６（Ａ）〜（Ｄ）中で上端部には、連結部２５の近傍位置に第２の固定部２３ａと平行な直線状の端縁部２３ｂ１が形成されている。この端縁部２３ｂ１によってくさび受部２７が形成されている。
【００２４】
また、本実施形態では、ブロック部材３０は、図８（Ａ）に示すようにほぼＬ字状の肉厚なブロック体３１と、図８（Ｂ）に示すようにほぼＬ字状に屈曲させた板金部材３２とを有する。なお、図９（Ａ）〜（Ｃ）は、ブロック体３１を示し、図１０（Ａ）〜（Ｃ）は、板金部材３２を示す。
【００２５】
ブロック体３１は、平板状のブロック体固定部３１ａと、このブロック体固定部３１ａからほぼ直交する方向に屈曲されたブロック体立設部３１ｂとを有する。ブロック体固定部３１ａは、図４に示すように支持部材２２の第１の固定部２２ａの上に固定されている。図９（Ｃ）中でブロック体立設部３１ｂの上端部には、内側（図９（Ｃ）中で左側）に向けて突設された平板状の突設部３１ｂ１が形成されている。この突設部３１ｂ１は、図４に示すようにヒンジ部材２３のくさび受部２７と離間対向する状態で配置される。そして、この突設部３１ｂ１によってくさびガイド部２８が形成されている。この突設部３１ｂ１（くさびガイド部２８）の下面と、くさび受部２７との間にくさび挿入用の隙間Ｓ２（図４参照）を形成する。このように本実施形態では、くさびガイド部２８とブロック部材３０とが一体化されている。
【００２６】
また、板金部材３２は、平板状の板金部材固定部３２ａと、この板金部材固定部３２ａからほぼ直交する方向に屈曲された板金部材立設部３２ｂとを有する。板金部材固定部３２ａは、ブロック体固定部３１ａの上に固定されている。この板金部材３２の固定時には、板金部材立設部３２ｂとブロック体立設部３１ｂとの間に、くさび部材２９を回動軸２４の中心軸と同方向にスライド可能に支持する収容部３３が形成されている。これにより、ブロック部材１５は、収容部３３内でくさび部材１４を回動軸６の中心軸と同方向にスライド可能に支持する。
【００２７】
くさび部材２９は、図１２、図１４に示すくさび部材１４と同様に形成されている。すなわち、図７（Ａ），（Ｂ）に示すようにくさび部材２９の上面側には、くさびガイド部２８と摺接する直線状の接触部２９ａが形成されている。くさび部材２９の下面側には、先端側に向かうにしたがって先細になるテーパー面２９ｂが形成されている。さらに、くさび部材２９の基端部には、操作用の凸部２９ｃが上向きに突設されている。そして、図４に示すようにくさび部材２９の先端部は、くさび受部２７とくさびガイド部２８との間に挿入される状態で配置される。
【００２８】
次に、上記構成の作用について説明する。図１および図２の電子機器のタッチパネルユニット３の使用時には、まず、タッチパネルユニット３を固定台４に対して任意の引き起こし角度まで引き起こす。このタッチパネルユニット３の回動動作時には、タッチパネルユニット３側の支持台８に固定されているヒンジ部材２３がタッチパネルユニット３と一体的に移動する。そのため、このヒンジ部材２３の移動にともないこのヒンジ部材２３のくさび受部２７がブロック部材３０のくさびガイド部２８から離れる方向（図４中で下方向）に移動する。これにより、くさびガイド部２８の下面と、くさび受部２７との間の隙間Ｓ２の大きさが拡大する方向に変化する。
【００２９】
また、タッチパネルユニット３を任意の回動位置に移動した状態で、本実施の形態のタッチパネルのロック構造２１を操作する。このとき、くさび部材２９を図４中で左方向にスライド操作して、隙間Ｓ２の中に圧入する。これにより、くさび部材２９のテーパー面２９ｂとヒンジ部材２３のくさび受部２７との間で、くさび作用が働き、タッチパネルユニット３が任意の引き起こし位置でロック状態に固定される。
【００３０】
本実施形態では、ブロック部材３０のブロック体３１に形成したブロック体立設部３１ｂの上端部に平板状の突設部３１ｂ１を形成し、この突設部３１ｂ１をくさびガイド部２８として使用している。そのため、ブロック部材３０とくさびガイド部２８と一体化したので、複数の部品を溶接して固定する場合に生じる溶接時の歪みを無くすことができる。さらに、ブロック部材３０とくさびガイド部２８とを１つの部品として加工する為、寸法精度は安定する。そのため、くさび部材２９のスライド動作を円滑に行うことができるので、板金部材立設部３２ｂとブロック体立設部３１ｂとの間の収容部３３内にくさび部材２９を収容した際に、くさび部材２９との上下方向、左右方向のクリアランス調整を行う作業を少なくすることができる。
【００３１】
さらに、本実施形態では、ブロック部材３０のブロック体３１と、板金部材３２との組み付け時に収容部３３内に収容されるくさび部材２９のクリアランス調整を行うことができる。そのため、くさび部材のくさび作用を利用するロック機構部の製作精度を高めることができる。
【００３２】
上記実施形態によれば、ヒンジ機構の構造を簡素化することができるとともに、くさび部材のくさび作用を利用するロック機構部の製作精度を高めることができ、くさび部材のスライド動作を円滑に行なうことができるタッチパネルのロック構造を提供することができる。
【００３３】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００３４】
１…ロック装置、２…タッチパネル、３…タッチパネルユニット、４…固定台、５…ヒンジ機構、６…回動軸、７…支持部材、７ａ…第１の固定部、７ｂ…第１の立設部、７ｂ１…係合溝、８…支持台、９…ヒンジ部材、９ａ…第２の固定部、９ｂ…第２の立設部、９ｂ１…端縁部、１０…連結部、１１…ロック機構部、１２…くさび受部、１３…くさびガイド部、１３ａ…ガイド板、１３ｂ…係合凸部、１４…くさび部材、１４ａ…接触部、１４ｂ…テーパー面、１４ｃ…凸部、１５…ブロック部材、１５ａ…ガイド溝、２１…ロック構造、２２…支持部材、２２ａ…第１の固定部、２２ｂ…第１の立設部、２３…ヒンジ部材、２３ａ…第２の固定部、２３ｂ…第２の立設部、２３ｂ１…端縁部、２４…回動軸、２５…連結部、２６…ロック機構部、２７…受部、２８…ガイド部、２９…くさび部材、２９ａ…接触部、２９ｂ…テーパー面、２９ｃ…凸部、３０…ブロック部材、３１…ブロック体、３１ａ…ブロック体固定部、３１ｂ…ブロック体立設部、３１ｂ１…突設部、３２…板金部材、３２ａ…板金部材固定部、３２ｂ…板金部材立設部、３３…収容部、Ｓ１…隙間、Ｓ２…隙間。
【図１】
2017115913.tif 000003
【図２】
2017115913.tif 000004
【図３】
2017115913.tif 000005
【図４】
2017115913.tif 000006
【図５】
2017115913.tif 000007
【図６】
2017115913.tif 000008
【図７】
2017115913.tif 000009
【図８】
2017115913.tif 000010
【図９】
2017115913.tif 000011
【図１０】
2017115913.tif 000012
【図１１】
2017115913.tif 000013
【図１２】
2017115913.tif 000014
【図１３】
2017115913.tif 000015
【図１４】
2017115913.tif 000016